(57)【要約】【課題】位置情報送信装置におけるプライバシ保護と自由なサービス利用、及び、位置情報受信装置における位置情報利用の利便性の向上。【解決手段】前記位置情報を送信する位置情報送信装置１と、前記位置情報を受信する位置情報受信装置２と、位置情報送信装置１及び位置情報受信装置２から供給された信号に基づき位置情報提供条件を決定する位置情報提供条件決定装置３とを有し、位置情報提供条件決定装置３が、位置情報送信装置１から供給された位置情報送信条件と、位置情報受信装置２から供給された位置情報受信条件とを比較し、この比較結果に基づき前記位置情報提供条件を決定する。位置情報提供条件としては位置情報形式や位置情報精度条件が決定される。【選択図】  図１
2005244547.tif 000002
【特許請求の範囲】
【請求項１】
移動通信端末の位置情報を提供するための位置情報提供条件を決定する位置情報提供条件決定装置であって、
前記位置情報を送信する位置情報送信手段から受信された位置情報送信条件と、前記位置情報を受信する位置情報受信手段から受信されら位置情報受信条件とを比較し、この比較結果に基づき前記位置情報提供条件を決定すること
を特徴とする位置情報提供条件決定装置。
【請求項２】
前記位置情報提供条件として位置情報形式を決定すること
を特徴とする請求項１記載の位置情報提供条件決定装置。
【請求項３】
前記位置情報提供条件として位置情報精度条件を決定すること
を特徴とする請求項１記載の位置情報提供条件決定装置。
【請求項４】
位置情報提供条件として位置情報形式と位置情報精度条件を決定すること
を特徴とする請求項１記載の位置情報提供条件決定装置。
【請求項５】
前記位置情報送信条件と前記位置情報受信条件との論理積に基づき前記位置情報提供条件を決定すること
を特徴とする請求項１から４のいずれか１項に記載の位置情報提供決定装置。
【請求項６】
前記位置情報送信条件と前記位置情報受信条件に記述された位置情報精度条件の閾値の大小を比較し、この比較結果に基づき位置情報精度条件を決定すること
を特徴とする請求項３記載の位置情報提供決定装置。
【請求項７】
前記比較にあたり、位置情報形式に基づく精度条件比較表を用いること
を特徴とする請求項６記載の位置情報提供決定装置。
【請求項８】
移動通信端末の位置情報を送信する位置情報送信装置において、
前記位置情報を提供するための位置情報提供条件を決定する位置情報提供条件決定装置を備え、
前記位置情報提供条件決定装置は、位置情報送信条件と、前記位置情報を受信する位置情報受信手段から受信されら位置情報受信条件とを比較し、この比較結果に基づき前記位置情報提供条件を決定することを特徴とする位置情報送信装置。
【請求項９】
移動通信端末の位置情報を受信する位置情報受信装置において、
前記位置情報を提供するための位置情報提供条件を決定する位置情報提供条件決定装置を備え、
前記位置情報提供条件決定装置は、位置情報受信条件と、前記位置情報を送信する位置情報送信手段から受信された位置情報送信条件とを比較し、この比較結果に基づき前記位置情報提供条件を決定すること
を特徴とする位置情報受信装置。
【請求項１０】
移動通信端末の位置情報を提供するための位置情報提供条件を決定する位置情報提供条件決定装置を備えた移動通信端末であって、
前記位置情報提供条件決定装置は、前記位置情報を送信する位置情報送信手段から受信された位置情報送信条件と、前記位置情報を受信する位置情報受信手段から受信されら位置情報受信条件とを比較し、この比較結果に基づき前記位置情報提供条件を決定すること
を特徴とする移動通信端末。
【請求項１１】
移動通信端末の位置情報を提供するための位置情報提供条件を決定する位置情報提供条件決定方法であって、
前記位置情報を送信する位置情報送信手段と、前記位置情報を受信する位置情報受信手段と、前記位置情報送信手段及び位置情報受信手段から供給された信号に基づき位置情報提供条件を決定する位置情報提供条件決定手段とを有し、
前記位置情報提供条件決定手段が、前記位置情報送信手段から供給された位置情報送信条件と、前記位置情報受信手段から供給された位置情報受信条件とを比較し、この比較結果に基づき前記位置情報提供条件を決定すること
を特徴とする位置情報提供条件決定方法。
【請求項１２】
前記位置情報提供条件として位置情報形式を決定すること
を特徴とする請求項１１記載の位置情報提供条件決定方法。
【請求項１３】
前記位置情報提供条件として位置情報精度条件を決定すること
を特徴とする請求項１１記載の位置情報提供条件決定方法。
【請求項１４】
位置情報提供条件として位置情報形式と位置情報精度条件を決定すること
を特徴とする請求項１１記載の位置情報提供条件決定方法。
【請求項１５】
前記位置情報送信条件と前記位置情報受信条件との論理積に基づき前記位置情報提供条件を決定すること
を特徴とする請求項１１から１４のいずれか１項に記載の位置情報提供決定方法。
【請求項１６】
前記位置情報送信条件と前記位置情報受信条件に記述された位置情報精度条件の閾値の大小を比較し、この比較結果に基づき位置情報精度条件を決定すること
を特徴とする請求項１３記載の位置情報提供決定方法。
【請求項１７】
前記比較にあたり、位置情報形式に基づく精度条件比較表を用いること
を特徴とする請求項１６記載の位置情報提供決定方法。
【請求項１８】
請求項１１から１７のいずれか１項に記載の位置情報提供決定方法をコンピュータに実行させるためのプログラム。
【発明の詳細な説明】
【技術分野】
【０００１】
本発明は、位置情報提供技術、特に位置情報送信者のブライバシを保護する技術分野に関するものである。
【背景技術】
【０００２】
従来の位置情報におけるプライバシ保護技術においては（例えば特許文献１に示された移動携帯端末）、位置情報受信装置に応じて、自動的に位置情報送信条件を変更するには予め、位置情報送信者が位置情報受信ごとに位置情報送信条件を位置情報送信装置等に登録しておく必要があり、登録されていない受信装置に対する送信条件としては一律の条件で位置情報を送信するか若しくは送信しないかのどちらかに制限されていた。そのため、位置情報受信装置として登録していない位置情報サービスを利用することができないという不都合や、位置情報受信装置として登録していない位置情報サービスを利用するためにその都度位置情報受信者装置と位置情報送信条件を登録したりする等の煩雑な操作が要求されるという不都合や、位置情報受信装置が自身で利用できない形式の位置情報を送信されたりするというような不都合があった。
【０００３】
移動携帯端末は、位置情報検索者に応じて、送信する位置情報の精度を変更することが可能であるが、登録されていない位置情報検索者に位置情報を送信することができない。
【特許文献１】特開２００３−２１５３４号公報
【発明の開示】
【発明が解決しようとする課題】
【０００４】
本発明は、かかる事情に鑑みなされたもので、位置情報プライバシ保護技術において、予め、位置情報送信者が位置情報受信者と位置情報受信装置に対する位置情報送信条件を位置情報送信装置等に登録しておかなくても、位置情報送信条件、位置情報受信条件をその都度比較して位置情報提供条件を決定することで、登録していない位置情報受信装置に対しても位置情報送信装置のプライバシと位置情報受信装置の位置情報利用のいずれも損ねることのない位置情報提供条件を決定し、位置情報送信装置におけるプライバシ保護と自由なサービス利用、及び、位置情報受信装置における位置情報利用の利便性の向上をさせた位置情報提供条件決定方法とそのプログラム、位置情報送信装置、位置情報受信装置及び移動通信端末の提供にある。
【課題を解決するための手段】
【０００５】
そこで、本発明の位置情報提供条件決定方法は、移動通信端末の位置情報を提供するための位置情報提供条件を決定する位置情報提供条件決定方法であって、前記位置情報を送信する位置情報送信手段と、前記位置情報を受信する位置情報受信手段と、前記位置情報送信手段及び位置情報受信手段から供給された信号に基づき位置情報提供条件を決定する位置情報提供条件決定手段とを有し、この位置情報提供条件決定手段が、前記位置情報送信手段から供給された位置情報送信条件と、前記位置情報受信手段から供給された位置情報受信条件とを比較し、この比較結果に基づき前記位置情報提供条件を決定している。
【０００６】
また、本発明の位置情報提供条件決定装置は、移動通信端末の位置情報を提供するための位置情報提供条件を決定する位置情報提供条件決定装置であって、前記位置情報を送信する位置情報送信手段から受信された位置情報送信条件と、前記位置情報を受信する位置情報受信手段から受信されら位置情報受信条件とを比較し、この比較結果に基づき前記位置情報提供条件を決定している。
【０００７】
さらに、本発明の位置情報送信装置は、移動通信端末の位置情報を送信する位置情報送信装置において、前記位置情報を提供するための位置情報提供条件を決定する位置情報提供条件決定装置を備え、前記位置情報提供条件決定装置は、位置情報送信条件と、前記位置情報を受信する位置情報受信手段から受信されら位置情報受信条件とを比較し、この比較結果に基づき前記位置情報提供条件を決定している。
【０００８】
また、本発明の位置情報受信装置は、移動通信端末の位置情報を受信する位置情報受信装置において、前記位置情報を提供するための位置情報提供条件を決定する位置情報提供条件決定装置を備え、前記位置情報提供条件決定装置は、位置情報受信条件と、前記位置情報を送信する位置情報送信手段から受信された位置情報送信条件とを比較し、この比較結果に基づき前記位置情報提供条件を決定している。
【０００９】
さらに、本発明の移動通信端末は、移動通信端末の位置情報を提供するための位置情報提供条件を決定する位置情報提供条件決定装置を備えた移動通信端末であって、前記位置情報提供条件決定装置は、前記位置情報を送信する位置情報送信手段から受信された位置情報送信条件と、前記位置情報を受信する位置情報受信手段から受信されら位置情報受信条件とを比較し、この比較結果に基づき前記位置情報提供条件を決定している。
【００１０】
以上の位置情報提供条件決定方法、位置情報送信装置、位置情報送信装置及び移動通信端末移動端末において、前記位置情報提供条件としては、例えば、位置情報形式を決定するもの、位置情報精度条件を決定するもの、位置情報形式と位置情報精度条件を決定するもの等がある。また、前記位置情報送信条件と前記位置情報受信条件との論理積に基づき前記位置情報提供条件を決定してもよい。さらに、前記位置情報送信条件と前記位置情報受信条件に記述された位置情報精度条件の閾値の大小を比較し、この比較結果に基づき位置情報精度条件を決定してもよい。このとき、位置情報形式に基づく精度条件比較表を用いるとよい。尚、前記精度条件比較表は、複数の位置情報表現形式毎の精度条件に統一的な値を付与して定義されるものである。
【００１１】
また、本発明の位置情報提供条件決定方法、位置情報送信装置、位置情報受信装置及び移動通信端末は、コンピュータとプログラムによっても実現でき、プログラムをコンピュータ読み取り可能な記録媒体に記録すること、ネットワークを通して提供することも可能である。前記記録媒体としては、例えばフレキシブルディスクや、ＭＯ、ＲＯＭ、メモリカード、ＣＤ、ＤＶＤ、リムーバルディスク等が挙げられる。
【発明の効果】
【００１２】
以上のように、本発明の位置情報提供条件決定方法とそのプログラム、位置情報送信装置、位置情報受信装置及び移動通信端末によれば、予め、位置情報送信者が位置情報受信者と位置情報受信装置に対する位置情報送信条件を位置情報送信装置等に登録しておかなくても、位置情報送信条件位置情報受信条件をその都度、比較して位置情報提供条件を決定することで、登録していない位置情報受信装置に対しても位置情報送信装置のプライバシと位置情報受信装置の位置情報利用のいずれも損ねることのない位置情報提供条件を自動的に決定しているので、位置情報送信装置のプライバシ保護と自由なサービス利用、及び、位置情報受信装置の位置情報利用の利便性が向上する。
【発明を実施するための最良の形態】
【００１３】
本発明の実施の形態について図面を参照しながら説明する。
【００１４】
図１は本発明の実施形態例を示した概略図である。
【００１５】
本実施形態例は、位置情報を送信する手段としての位置情報送信装置１と、位置情報を受信する手段としての位置情報受信装置２と、位置情報送信装置１と位置情報受信装置２とから送信された信号に基づき位置情報提供条件を決定する手段としての位置情報提供条件決定装置３と、位置情報送信装置１から送信された位置情報を位置情報提供条件決定装置３から送信された信号に基づき変換処理する位置情報変換装置４とを備えている。
【００１６】
位置情報提供条件決定装置３は、位置情報送信装置１から位置情報送信条件を受信すると共に、位置情報受信装置２から位置情報受信条件を受信する。そして、前記位置情報送信条件と前記位置情報受信条件とを比較し、この比較結果に基づき前記位置情報提供条件を決定している。ここでは、位置情報送信条件と位置情報受信条件を比較し、双方の条件をともに満たす位置情報提供条件を決定し、この決定した位置情報提供条件を出力している。本実施形態では、位置情報変換装置４に送信される。
【００１７】
位置情報変換装置４は、前記決定された位置情報提供条件に基づいて既知の位置情報変換手段によって位置情報送信装置１から受信した位置情報を変換処理して位置情報受信装置２に送信する。
【００１８】
尚、位置情報送信装置１と位置情報提供条件決定装置３の間、位置情報受信装置２と位置情報提供条件決定装置３の間、位置情報提供条件決定装置３と位置情報変換装置４の間、位置情報送信装置１と位置情報変換装置４の間、位置情報受信装置２と位置情報変換装置４の間は通信網で連絡させてもよい。また、位置情報提供条件決定装置３、位置情報変換装置４の機能はそれぞれ位置情報送信装置１、位置情報受信装置２または移動通信端末に有するようにしてもよい。
【００１９】
図２は位置情報送信装置の送信する位置情報送信条件の一例である。
【００２０】
位置情報送信条件は位置情報形式条件や位置情報精度条件等を含む。この際、位置情報送信者は、送信した位置情報から自身が特定されるというプライバシの問題を回避するために、位置情報形式条件や位置情報精度条件を指定して、送信する位置情報を暖味にできる。
【００２１】
図３は位置情報受信装置の送信する位置情報受信条件の一例である。
【００２２】
位置情報受信条件は、位置情報形式条件や位置情報精度条件等を含む。位置情報提供条件決定装置３においては、受信した位置情報が利用できないという問題を回避するために、位置情報受信者によって、位置情報受信条件に自身が受信した位置情報を利用する上で許容できる条件が指定できる。
【００２３】
図４は位置情報提供条件決定装置が決定した位置情報提供条件の一例である。
【００２４】
位置情報提供条件としては、位置情報形式条件や位置情報精度条件等を含むものがある。位置情報提供条件は、図２の位置情報送信条件、図３の位置情報受信条件の論理積を算出すること、即ち両方の条件に含まれている条件のみを取り出すことで、位置情報提供条件を決定するよい。
【００２５】
例えば、位置情報形式条件に関しては、図２に示した位置情報送信条件の一例のように「地名形式、道路形式」が指定されており、また図３に示した位置情報受信条件の一例のように「緯度・経度形式・道路形式」が指定されている。ここで、位置情報提供条件決定装置３は、双方の論理積をとることで、図４に示した位置情報提供条件の一例のように、「道路形式」を決定する。
【００２６】
また、位置情報精度条件に関しては、図２に示した位置情報送信条件の一例のように「誤差≧１００ｍ」が指定されており、図３に示した位置情報受信条件の一例のように「誤差≦５００ｍ」が指定されている。ここで、位置情報提供条件決定装置３は、双方の論理積をとることで、図４に示した位置情報提供条件の一例のように、「１００ｍ≦誤差≦５００ｍ」を決定する。
【００２７】
また、位置情報精度条件に関しては、位置情報の表現形式が物理座標で表現されず地名形式（ＡＡ県ＢＢ市ＣＣ町ＤＤ丁目ＥＥ番地）の場合でも精度レベルの上下関係が予め定義されていれば（番地＜丁目＜町＜市＜県等）、図５に示した位置情報送信条件の一例、図６に示した位置情報受信条件の一例のように「県、市、町、丁目、番地」を条件として記述してもよく、この場合も先と同様に積集合を算出し、図７に示した位置情報提辞条件の一例のように、「丁目≦誤差≦市名」と決定するとよい。
【００２８】
さらに、位置情報の表現形式に関わらず、位置情報送信条件、位置情報受信条件の記述を統一するために図８に示した精度条件表の一例のように精度条件表を定義し、複数の位置情報表現形式（例えば座標形式、地名形式及び道路形式等）毎の精度条件に統一的な値（例えば６〜１等）を付与した精度条件表を用いて、条件を決定してもよい。図８に例示された精度条件表に付与された値６の精度条件が「座標形式：地名形式：道路形式＝誤差１００ｋｍ：地方名まで：国道名」，…，値１の精度条件は「座標形式：地名形式：道路形式＝誤差１００ｍ：番地まで：交差点名」等となっている。
【００２９】
図９に、位置情報受信条件の一例を図１０に、位置情報提供条件の一例を図１１に示した。この場合、位置情報形式が地名形式であるため、位置情報提供条件として精度条件は丁目レベルより粗くし、市名レベルよりは細かくすることが望ましい（丁目レベル、市名レベルでもよい）。
【００３０】
尚、位置情報精度条件の決定処理を単純化するために、位置情報送信条件に記述された精度条件と、位置情報受信条件に記述された位置情報受信条件に記述された精度条件の閾値の大小を比較し、位置情報条件の閾値が受信条件の閾値より小さいことを確認した後に、どちらかの値を選ぶことで決定するようにしてもよい。例えば、位置情報送信条件の閾値２（図９）が位置情報受信条件の閾値４（図１０）より小さいことを確認した後に精度条件に対応した値として「誤差＝４」または「誤差＝２」が決定される。
【００３１】
このようにして、本実施形態における位置情報提供条件決定装置３は、予め、位置情報送信者が位置情報受信者と位置情報受信装置に対する位置情報送信条件を位置情報送信装置等に登録しておかなくても、位置情報送信条件位置情報受信条件をその都度、比較して位置情報提供条件を決定することで、登録していない位置情報受信装置に対しても位置情報送信装置のプライバシと位置情報受信装置の位置情報利用のいずれも損ねることのない位置情報提供条件を決定している。
【００３２】
本発明の位置情報提供条件決定方法は、前述した実施形態における装置の機能を実現するソフトウェアのプログラムコードを記録した記録媒体を、システム若しくは装置に供給し、このシステム若しくは装置のＣＰＵ（ＭＰＵ）が記憶媒体に格納されたプログラムコードを読み出し実行することによっても、実現できる。その場合、記録媒体から読み出されたプログラムコード自体が上述した実施の形態の機能を実現することになり、そのプログラムコードを記憶した記憶媒体、例えばフレキシブルディスク、ＣＤ−ＲＯＭ、ＤＶＤ−ＲＯＭ、ＣＤ−Ｒ、ＣＤ−ＲＷ、ＭＯ、ＨＤＤ等は本発明を構成するものである。
【図面の簡単な説明】
【００３３】
【図１】本発明の実施形態例を示した概略図。
【図２】位置情報送信条件の一例。
【図３】位置情報受信条件の一例。
【図４】位置情報提供条件の一例。
【図５】位置情報送信条件の一例。
【図６】位置情報受信条件の一例。
【図７】位置情報提供条件の一例。
【図８】精度条件表の一例。
【図９】位置情報送信条件の一例。
【図１０】位置情報受信条件の一例。
【図１１】位置情報提供条件の一例。
【符号の説明】
【００３４】
１…位置情報送信装置
２…位置情報受信装置
３…位置情報提供条件決定装置
４…位置情報変換装置
【図１】
2005244547.tif 000003
【図２】
2005244547.tif 000004
【図３】
2005244547.tif 000005
【図４】
2005244547.tif 000006
【図５】
2005244547.tif 000007
【図６】
2005244547.tif 000008
【図７】
2005244547.tif 000009
【図８】
2005244547.tif 000010
【図９】
2005244547.tif 000011
【図１０】
2005244547.tif 000012
【図１１】
2005244547.tif 000013